(57)【要約】【課題】光軸方向に作用する外力により光軸回りに回転する駆動リング及びバリヤ羽根が、外力の影響を受けて変形しないようにする。【解決手段】レンズの光軸方向Ｌ前方に配置されると共に開口部１０ａを画定するベース１０、ベースに対して揺動自在に設けられて開口部を開閉するバリヤ羽根２０，３０、光軸方向に作用する外力により光軸回りに回転してバリヤ羽根を開閉駆動する駆動リング４０等を備え、ベース１０は、バリヤ羽根２０，３０と同一側において駆動リング４０を回動自在に支持し、駆動リング４０が光軸方向の外力を受ける近傍において、外力と拮抗する側から駆動リング４０が光軸方向に移動するのを規制する規制部１１ａ，１５を設けた。これにより、駆動リング及びバリヤ羽根の変形等が防止されて円滑な動作が得られる。【選択図】  図２ 
2005106969.tif 000002
【特許請求の範囲】
【請求項１】
レンズの光軸方向前方に配置されると共に開口部を画定するベースと、前記ベースに対して揺動自在に設けられて前記開口部を開閉するバリヤ羽根と、光軸方向に作用する外力により光軸回りに回転して前記バリヤ羽根を開閉駆動する駆動リングと、を備え、
前記ベースは、前記バリヤ羽根と同一側において前記駆動リングを回動自在に支持すると共に、前記外力を受ける近傍において、前記外力と拮抗する側から前記駆動リングが光軸方向に移動するのを規制する規制部を有する、
ことを特徴とするレンズバリヤ装置。
【請求項２】
前記駆動リングは、前記ベースに摺動自在に支持されるべく環状に形成された環状部と、前記環状部から突出し前記バリヤ羽根の一部に係合する係合部と、前記環状部から光軸方向の後方に突出し前記外力を受ける後方延出部と、を有する、
ことを特徴とする請求項１記載のレンズバリヤ装置。
【請求項３】
前記バリヤ羽根は、前記ベースに対して揺動自在に支持される被支持部の近傍において、前記駆動リングの係合部が係合する被係合部を有する、
ことを特徴とする請求項２記載のレンズバリヤ装置。
【請求項４】
前記ベースは、前記駆動リングの環状部を摺動自在に支持するべく光軸方向の前方に突出する円筒部と、前記後方延出部を通す貫通孔と、を含む、
ことを特徴とする請求項１ないし３いずれかに記載のレンズバリヤ装置。
【請求項５】
前記規制部は、前記駆動リングの環状部が光軸方向に移動するのを規制するべく、前記円筒部から径方向に突出する第１規制片と、前記貫通孔の近傍において前記第１規制片と径方向において略対向する位置に設けられた第２規制片と、を含む、
ことを特徴とする請求項１ないし４いずれかに記載のレンズバリヤ装置。
【請求項６】
前記第１規制片は、所定の角度間隔をおいて周方向に複数配列して形成され、
前記第２規制片は、前記複数の第１規制片の少なくとも一つと略対向するように形成されている、
ことを特徴とする請求項５記載のレンズバリヤ装置。
【請求項７】
前記駆動リングの環状部は、前記第１規制片が係合する領域を薄肉に形成した第１被規制部を有する、
ことを特徴とする請求項５又は６に記載のレンズバリヤ装置。
【請求項８】
前記第１被規制部は、前記複数の第１規制片と対応するように周方向に複数形成され、
前記駆動リングの環状部は、周方向において前記複数の第１被規制部にそれぞれ隣接して形成されかつ対応する前記第１規制片をそれぞれ光軸方向に挿通し得る複数の切り欠き部を有する、
ことを特徴とする請求項７記載のレンズバリヤ装置。
【発明の詳細な説明】
【技術分野】
【０００１】
本発明は、デジタルスチルカメラ、デジタルビデオカメラ等のカメラのレンズを保護するレンズバリヤ装置に関し、特に、レンズの光軸方向において作用する外力で光軸回りに回転する駆動リングによりバリヤ羽根を開閉駆動するレンズバリヤ装置に関する。
【背景技術】
【０００２】
カメラのレンズ前面を開閉する従来のレンズバリヤ装置としては、開口部を有するベース、ベースの前面に回動自在に支持された駆動リング、駆動リングの前面においてベースに揺動自在に支持された一対のバリヤ羽根等を備えたものが知られている。
この装置においては、駆動リングは、その内周縁と係合する支軸により、ベースに対して回動自在に支持されると共に、その外周縁から光軸方向の後方に向けて延出するように折り曲げて形成されたガイドバー（カム部）を一体的に備えており、ガイドバーが光軸方向において押圧力（外力）を受けると、駆動リングが回転してバリヤ羽根が閉じ、押圧力から解放されるとバネの付勢力により駆動リング逆回転してバリヤ羽根が開くようになっている。（例えば、特許文献１参照）。
【０００３】
また、他のレンズバリヤ装置としては、最前に位置するレンズを押える押えリング、押えリングに対して回動自在に支持た駆動リング、駆動リングの前方に配置され開口部をもつベース、ベースの前面において揺動自在に支持された一対のバリヤ羽根、バリヤ羽根を覆うように前方に配置された開口部を有するカバー等を備えたものが知られている。
この装置においては、駆動リングは、その外周縁から光軸方向の後方に向けて延出するカム部、ベースを貫通するように光軸方向の前方に向けて伸長しバリヤ羽根に連結された駆動ピンを一体的に備えており、カム部が光軸方向において押圧力（外力）を受けると、駆動リングが回転してバリヤ羽根が閉じ、押圧力から解放されると、バネの付勢力により駆動リングが逆回転してバリヤ羽根が開くようになっている（例えば、特許文献２参照）。
【特許文献１】特開２０００−４７２８８号公報
【特許文献２】特開２００２−４０５１６号公報
【発明の開示】
【発明が解決しようとする課題】
【０００４】
ところで、内周縁と係合する支軸により回動自在に支持される駆動リングを備えるレンズバリヤ装置においては、ガイドバーが光軸方向において押圧力を受けると、ガイドバーの近傍においてその押圧力を受ける部材が無いため、駆動リングは光軸方向に撓むように押圧され、さらに、駆動リングを介してバリヤ羽根も撓むように押圧される虞がある。
このように、バリヤ羽根あるいは駆動リングが光軸方向において撓みを生じると、バリヤ羽根の開閉動作が円滑に行なわれなくなる。
【０００５】
一方、ベースを境に後方に駆動リングを前方にバリヤ羽根を配置するレンズバリヤ装置においては、カム部に作用する光軸方向の押圧力はバリヤ羽根に直接及ばないものの、光軸方向における駆動ピンの長さが長くなるため、駆動リングからバリヤ羽根に及ぼされる回転駆動力に伝達ロスを生じ、効率の良い駆動動作が得られない。
【０００６】
本発明は、上記の事情に鑑みて成されたものであり、その目的とするところは、光軸方向において作用する外力（例えば押圧力）を回転駆動力に変換する駆動リングでバリヤ羽根を駆動するレンズバリヤ装置において、薄型化、小型化等図りつつ、駆動リング及びバリヤ羽根の外力による撓み等を確実に防止して、円滑な開閉動作が得られるレンズバリヤ装置を提供することにある。
【課題を解決するための手段】
【０００７】
本発明のレンズバリヤ装置は、レンズの光軸方向前方に配置されると共に開口部を画定するベースと、ベースに対して揺動自在に設けられて開口部を開閉するバリヤ羽根と、光軸方向に作用する外力により光軸回りに回転してバリヤ羽根を開閉駆動する駆動リングとを備え、上記ベースは、バリヤ羽根と同一側において駆動リングを回動自在に支持すると共に、外力を受ける近傍において、外力と拮抗する側から駆動リングが光軸方向に移動するのを規制する規制部を有する、ことを特徴としている。
【０００８】
この構成によれば、駆動リングが光軸方向から外力を受けると、駆動リングが光軸回りに回動してバリヤ羽根を開閉駆動する。このとき、駆動リングの外力を受ける近傍の領域が、外力と拮抗する側から規制部により規制されている（すなわち、規制部が外力を受ける）ため、駆動リングが光軸方向に移動する（例えば、位置ずれ、撓み等の変形を生じる）ことはなく、駆動リングは円滑に回動し、バリヤ羽根も変形等を生じることなく円滑に開閉動作を行なう。また、駆動リングが、ベースに対してバリヤ羽根と同一の側に配置されているため、駆動リングの回転駆動力がバリヤ羽根に伝達される際の光軸方向における伝達距離を短くでき、それ故に、バリヤ羽根に曲げ荷重等が加わるのを防止できる。
このように、駆動リング及びバリヤ羽根の変形等を防止して円滑な動作が得られると共に、駆動リング及びバリヤ羽根が共通のベースに支持されているため、駆動リングを専用の部材で支持する場合に比べて、部品点数を削減でき、装置を薄型化、小型化できる。
【０００９】
上記構成において、駆動リングは、ベースに摺動自在に支持されるべく環状に形成された環状部と、環状部から突出しバリヤ羽根の一部に係合する係合部と、環状部から光軸方向の後方に突出し外力を受ける後方延出部と、を有する構成を採用することができる。
この構成によれば、後方延出部が外力を受けると、環状部がベースに対して摺動しつつ駆動リングが回動し、駆動リングの係合部がバリヤ羽根の一部に係合して、バリヤ羽根を開閉駆動する。このように、駆動リングがベースに隣接した状態で支持されるため、上記規制部の作用と相俟って、駆動リングを安定した状態に支持することができる。
【００１０】
上記構成において、バリヤ羽根は、ベースに対して揺動自在に支持される被支持部の近傍において、駆動リングの係合部が係合する被係合部を有する、構成を採用することができる。
この構成によれば、駆動リングの係合部が、バリヤ羽根の被支持部（揺動支軸）の近傍に設けられた被係合部に係合して開閉駆動力を及ぼすため、バリヤ羽根のうち被支持部から離れた領域（開口部を開閉する領域）には直接駆動力が加わらず、バリヤ羽根の曲げ、撓み等の変形を防止することができる。
【００１１】
上記構成において、ベースは、駆動リングの環状部を摺動自在に支持するべく光軸方向の前方に突出する円筒部と、後方延出部を通す貫通孔と、を含む構成を採用することができる。
この構成によれば、駆動リングは、その環状部がベースの円筒部に嵌め込まれて回動自在に支持され、後方延出部が貫通孔を通って後方に突出した状態に形成される。したがって、駆動リングはベースの円筒部により径方向（ラジアル方向）に支持され、貫通孔が後方延出部の移動を許容する角度範囲において、光軸回りに円滑に回動することができる。
【００１２】
上記構成において、規制部は、駆動リングの環状部が光軸方向に移動するのを規制するべく、円筒部から径方向に突出する第１規制片と、貫通孔の近傍において第１規制片と径方向において略対向する位置に設けられた第２規制片と、を含む構成を採用することができる。
この構成によれば、駆動リングは、環状部の内周縁領域が第１規制片により規制され、又、後方延出部が設けられた環状部の外周縁領域が第２規制片により規制されて、光軸方向への移動が防止されると共に、これら第１規制片及び第２規制片が、後方延出部に加わる外力に拮抗するように環状部を保持するため、駆動リングの変形が確実に防止される。
【００１３】
上記構成において、第１規制片は、所定の角度間隔をおいて周方向に複数配列して形成され、第２規制片は、複数の第１規制片の少なくとも一つと略対向するように形成されている、構成を採用することができる。
この構成によれば、複数の第１規制片により、駆動リングの環状部は、周方向において略均等に保持され、その傾きが防止される。
【００１４】
上記構成において、駆動リングの環状部は、第１規制片が係合する領域を薄肉に形成した第１被規制部を有する、構成を採用することができる。
この構成によれば、薄肉に形成された分だけ、円筒部の長さを短くできるため、光軸方向において装置をより薄型化できる。
【００１５】
上記構成において、第１被規制部は、複数の第１規制片と対応するように周方向に複数形成され、駆動リングの環状部は、周方向において複数の第１被規制部にそれぞれ隣接して形成されかつ対応する第１規制片をそれぞれ光軸方向に挿通し得る複数の切り欠き部を有する、構成を採用することができる。
この構成によれば、光軸方向において、各々の切り欠き部を各々の第１規制片に位置合わせしかつ後方延出部を貫通孔に位置合わせした状態で、光軸方向の前方から駆動リングをベースに近づけ、環状部を円筒部に嵌め込むと同時に後方延出部を貫通孔に挿通させた後、各々の第１規制片が対応する各々の第１被規制部と接触するように又第２規制片が環状部の外周縁領域の一部と接触するように、駆動リングを所定角度だけ回転させるだけで、駆動リングをベースに対して回動自在に組付けることができる。
【発明の効果】
【００１６】
上記のように、本発明のレンズバリヤ装置によれば、光軸方向に作用する外力により光軸回りに回転してバリヤ羽根を開閉駆動する駆動リングを、ベースに対してバリヤ羽根と同一側に回動自在に支持すると共に、外力を受ける近傍において、外力と拮抗する側から駆動リングが光軸方向に移動するのを規制する規制部を設けたことにより、駆動リング及びバリヤ羽根の変形等を防止でき、これにより、円滑な駆動動作及び開閉動作が得られ、又、駆動リング及びバリヤ羽根が共通のベースに支持されているため、駆動リングを専用の部材で支持する場合に比べて、部品点数を削減でき、装置を薄型化、小型化できる。
【発明を実施するための最良の形態】
【００１７】
以下、本発明の最良の実施形態について、添付図面を参照しつつ説明する。
図１ないし図１１は、本発明に係るレンズバリヤ装置の一実施形態を示すものであり、図１は装置の外観斜視図、図２は装置の分解斜視図、図３はベースを示す斜視図、図４は駆動リングを示す斜視図、図５及び図６はバリヤ羽根を示す斜視図、図７は装置の一部断面図、図８及び図９はバリヤ羽根が開口部を開いた状態を示す平面図、図１０及び図１１はバリヤ羽根が開口部を閉じた状態を示す平面図である。
【００１８】
このレンズバリヤ装置は、図１及び図２に示すように、開口部１０ａを画定するベース１０、ベース１０に対して揺動自在に設けられたバリヤ羽根としての第１バリヤ羽根２０及び第２バリヤ羽根３０、バリヤ羽根２０，３０を開閉駆動する駆動リング４０、バリヤ羽根２０，３０を覆うようにベース１０に連結されると共に開口部５０ａを画定するカバー５０、バリヤ羽根２０，３０を閉じ方向に付勢する２つのバネ６０、バリヤ羽根２０，３０を開く方向に駆動するように駆動リング４０を付勢するバネ７０等を備えている。
【００１９】
ベース１０は、樹脂材料を用いて、図２及び図３に示すように、円形状の開口部１０ａを画定するように環状に形成されており、その前面において、開口部１０ａの内周面を画定すると共に光軸方向Ｌの前方に向けて突出する円筒部１１、バリヤ羽根２０，３０を摺動自在に案内する円弧状の案内路１２、バリヤ羽根２０，３０を揺動自在に支持する支軸１３、円筒部１１の外周面から径方向外側に突出して形成された規制部としての４つの第１規制片１１ａ、ベース１０を光軸方向Ｌに貫通する貫通孔１４、貫通孔１４の縁部近傍において光軸方向Ｌの前方に向けて突出しかつ貫通孔１４側に張り出すように形成された規制部としての第２規制片１５等を備えている。
【００２０】
また、ベース１０は、バリヤ羽根２０，３０を付勢するバネ６０の一端６１を掛止する２つの掛止突起１６、駆動リング４０を一方向に付勢するバネ７０の一端７１を掛止する掛止突起１７、カバー５０を位置決めするためのピン１８ａ、レンズ鏡筒等への取り付けの際に用いる孔１８ｂ、カバー５０をスナップフィットにより連結するための４つの突起１９等を備えている。
【００２１】
駆動リング４０は、樹脂材料により形成されており、図２及び図４に示すように、ベース１０に対して摺動自在に支持されるべく環状に形成された環状部４１、環状部４１から光軸方向Ｌの後方に向けて突出する後方延出部としてのカム部４２、環状部４１から径方向外側に突出しバリヤ羽根２０，３０の一部に係合する係合部としての２つの係合片４３ａ，４３ｂ、バネ７０の他端７２を掛止する掛止片４４、ベース１０への組付け時に規制片１１ａを通す４つの切り欠き部４５、切り欠き部４５に隣接して形成され第１規制片１１ａにより抜け落ちが規制される４つの第１被規制部４６、第２規制片１５により抜け落ちが規制される１つの被規制片４７等を備えている。
ここで、第１被規制部４６は、第１規制片１１ａが係合する領域であり、環状部４１の他の領域に比べて薄肉に形成されている。したがって、ベースの円筒部１１に駆動リング４０の環状部４１を嵌め込んで支持する際に、薄肉に形成された分だけ、円筒部１１の長さを短くできるため、光軸方向Ｌにおいて装置をより薄型化できる。
【００２２】
カム部４２は、図４に示すように、その先端側にカム面４２ａを有する。そして、このレンズバリヤ装置が、例えば、カメラのレンズ鏡筒の先端に取り付けられた場合、レンズ鏡筒の沈胴動作に伴なって、カメラ側に設けられた係合突起Ｐがカム面４２ａに係合するようになっている。
すなわち、カム部４２に対して光軸方向Ｌに作用する外力（押圧力）が加わることで、その外力（押圧力）がカム面４２ａのカム作用を介して光軸回りの回転力に変換され、矢印Ｒ１方向に付勢するバネ７０の付勢力に抗して、駆動リング４０が光軸回りの矢印Ｒ２方向に回転するようになっている。
【００２３】
ここで、ベース１０に形成された複数の第１規制片１１ａのうち、１つの第１規制片１１ａと第２規制片１５とは、図３及び図７（ｂ）に示すように、貫通孔１４を挟む径方向において略対向する位置に形成されている。したがって、カム部４２が光軸方向Ｌから外力（押圧力）Ｆを受けても、第１規制片１１ａと第２規制片１５とが、カム部４２の近傍に形成された駆動リング４０の第１被規制部４６及び被規制片４７を外力Ｆに拮抗する反対側から押し付けて規制するため、駆動リング４０（環状部４１）は撓むことなく、平板状に保持された状態を維持する。
【００２４】
第１バリヤ羽根２０は、樹脂材料により薄板状に形成されており、図５及び図６に示すように、ベース１０の支軸１３が通されて揺動自在に支持される被支持部２１、被支持部２１の近傍において円柱状に形成され駆動リング４０の係合片４３ａが係合する被係合部２２、直線状をなす当接端面２３、当接端面２３と垂直な方向（光軸方向Ｌ）に面をもつように連続して形成された対向面２４、先端寄りに形成された嵌合凸部２５、支軸１３に支持される被支持部２１寄りに形成された嵌合凹部２６、ベース１０の案内路１２上を摺動する摺動片２７等を備えている。
【００２５】
第２バリヤ羽根３０は、樹脂材料により薄板状に形成されており、図５及び図６に示すように、ベース１０の支軸１３が通されて揺動自在に支持される被支持部３１、被支持部３１の近傍において円柱状に形成され駆動リング４０の係合片４３ｂが係合する被係合部３２、直線状をなす当接端面３３、当接端面３３と垂直な方向（光軸方向Ｌ）に面をもつように連続して形成された対向面３４、先端寄りに形成された嵌合凸部３５、支軸１３に支持される被支持部３１寄りに形成された嵌合凹部３６、ベース１０の案内路１２上を摺動する摺動片３７等を備えている。
【００２６】
ここで、図６に示すように、第１バリヤ羽根２０と第２バリヤ羽根３０とが、お互いに近づいて接合し開口部１０ａ，５０ａを閉じるとき、第１バリヤ羽根２０の嵌合凸部２５は、第２バリヤ羽根３０の嵌合凹部３６に嵌合し、第２バリヤ羽根３０の嵌合凸部３５は、第１バリヤ羽根２０の嵌合凹部２６に嵌合する。
また、当接端面２３及び対向面２４と当接端面３３及び対向面３４とは、お互いに噛み合うような相補形状になっているため、当接端面２３，３３同士が当接すると同時に対向面２４，３４同士が光軸方向Ｌにおいて接触した状態で対向（当接）する。
したがって、第１バリヤ羽根２０と第２バリヤ羽根３０とは、閉じ動作において、光軸方向Ｌにおいて段差を生じないように面一に確実に位置決めされると同時に、開口部１０ａ，５０ａが確実に遮蔽されて、外部から光又は塵等が侵入するのを防止できる。
【００２７】
また、バリヤ羽根２０，３０において、駆動リング４０の係合片４３ａ，４３ｂが係合する被係合部２２，３２は、被支持部２１，３１の近傍に設けられているため、駆動リング４０の係合片４３ａ，４３ｂが及ぼす回転駆動力は、被支持部２１，３１から離れた領域（開口部を開閉する領域）には加わらず、バリヤ羽根２０，３０の曲げ、撓み等の変形を防止することができる。
【００２８】
カバー５０は、図１及び図２に示すように、樹脂材料により円板状に形成されており、その中央部に略矩形状の開口部５０ａ、外周縁から光軸方向Ｌの後方に向けて延出しベース１０の突起１９にスナップフィットされる掛止片５１、ベース１０のピン１８ａを通す２つの位置決め孔５２、ベース１０の孔１８ｂに対応する２つの円孔５３、支軸１３の先端小径部１３ａが嵌合される２つの円孔５４等を備えている。尚、カバー５０は、ベース１０と協働してバリヤ羽根２０，３０を収容する羽根室を画定する。
【００２９】
バネ６０は、図２及び図７（ａ）に示すように、捩り式のバネであり、被支持部２１，３１の周りに配置され、その一端６１がベース１０の掛止突起１６に掛止され、その他端６２がバリヤ羽根２０，３０の被係合部２２，３２に対して、係合片４３ａ，４３ｂと反対の側から掛止されている。これにより、バネ６０は、第１バリヤ羽根２０及び第２バリヤ羽根３０を閉じ方向に向けて常時付勢している。
【００３０】
上記のように、ベース１０、駆動リング４０、バリヤ羽根２０，３０、カバー５０等を備える構成において、ベース１０の前方側すなわち同一側において、順次に駆動リング４０、バリヤ羽根２０，３０、カバー５０が近接して配置されて、ベース１０に対して駆動リング４０及びバリヤ羽根２０，３０が回動及び揺動自在に支持されている。
したがって、図７（ａ）に示すように、駆動リング４０の回転駆動力がバリヤ羽根２０，３０に伝達される際の光軸方向Ｌにおける伝達距離Ｄを短くでき、それ故に、バリヤ羽根２０，３０に曲げ荷重等が加わるのを防止できる。
これにより、駆動リング４０及びバリヤ羽根２０，３０の変形等を防止して円滑な動作が得られると共に、駆動リング４０及びバリヤ羽根２０，３０が共通のベース１０に支持されているため、駆動リング４０を専用の部材で支持する場合に比べて、部品点数を削減でき、装置を薄型化、小型化できる。
【００３１】
次に、この装置の組付け手順について説明する。先ず、ベース１０に対して、図２に示すように、各々の切り欠き部４５を各々の第１規制片１１ａに位置合わせし、かつ、カム部４２を貫通孔１４に位置合わせした状態で、光軸方向Ｌの前方から駆動リング４０をベース１０に近づけ、環状部４１を円筒部１１に嵌め込むと同時にカム部４２を貫通孔１４に挿通させる。
【００３２】
そして、駆動リング４０がベース１０の摺動面１０ｂに当接した時点で、駆動リング４０を所定角度だけ時計回り（矢印Ｒ２方向）に回転させると、図７（ｂ）に示すように、ベース１０の第１規制片１１ａ及び第２規制片１５が、駆動リング４０の第１被規制部４６及び被規制片４７に摺動自在に係合して、駆動リング４０が光軸方向Ｌの前方に向けて抜け落ちるのを規制する。これにより、駆動リング４０はベース１０に対して回動自在に組付けられた状態となる。
【００３３】
続いて、被支持部２１，３１の外周にバネ６０を外嵌させた状態で、光軸方向Ｌの前方からバリヤ羽根２０，３０をベース１０に近づけて、被支持部２１，３１にベース１０の支軸１３を通すと共に、バネ６０の一端６１を掛止突起１６に掛止させ、他端６２を被係合部２２，３２に掛止させる。また、バネ７０の一端７１をベース１０の掛止突起１７に掛止させ、他端７２を駆動リング４０の掛止片４４に掛止させる。
【００３４】
その後、カバー５０を光軸方向Ｌの前方からベース１０に近づけて、円孔５２，５４に支軸１３の先端小径部１３ａ及びピン１８ａを通すと共に、掛止片５１を突起１９に掛止させてスナップフィットにより連結する。これにより、図１に示すようなレンズバリヤ装置の組付けが完了する。
【００３５】
次に、この装置の動作について、図８ないし図１１を参照しつつ説明する。尚、説明の便宜上、図８及び図１０ではカバー５０が省略され（開口部５０ａのみ二点鎖線で示され）、図９及び図１１ではカバー５０が省略され（開口部５０ａのみ二点鎖線で示され）又バリヤ羽根２０，３０等が二点鎖線で示されている。
【００３６】
先ず、駆動リング４０のカム部４２が、カメラ側の係合突起Ｐ等から押圧力（外力）を受けない状態においては、駆動リング４０はバネ７０により付勢されて反時計回りの回転端に位置する。このとき、図８及び図９に示すように、第１バリヤ羽根２０及び第２バリヤ羽根３０は、その被係合部２２，３２が、バネ６０の付勢力に抗しつつ、駆動リング４０の係合片４３ａ，４３ｂにより押されて、カバー５０の開口部５０ａを全開する開き位置に位置している。
【００３７】
この状態から、駆動リング４０のカム部４２がカメラ側の係合突起Ｐ等により押圧力（外力）を受けて、駆動リング４０がバネ７０の付勢力に抗しつつ、所定角度だけ時計回りに回転すると、駆動リング４０の係合片４３ａ，４３ｂは、バリヤ羽根２０，３０の被係合部２２，３２から後退すると同時に、バネ６０の付勢力により、第１バリヤ羽根２０及び第２バリヤ羽根３０は反時計回りに回転して閉じ動作を行なう。
この閉じ動作において、バリヤ羽根２０，３０は、それぞれの摺動片２７，３７が案内路１２に沿って案内されるため、光軸方向Ｌにガタツキ等を生じることはない。その結果、閉じ動作が円滑にかつ安定して行なわれる。
【００３８】
そして、図１０及び図１１に示すように、第１バリヤ羽根２０の嵌合凸部２５が第２バリヤ羽根３０の嵌合凹部３６に嵌合し、第２バリヤ羽根３０の嵌合凸部３５が第１バリヤ羽根２０の嵌合凹部２６に嵌合し、さらに、第１バリヤ羽根２０の当接端面２３が第２バリヤ羽根３０の当接端面３３に当接し、第１バリヤ羽根２０の対向面２４が第２バリヤ羽根３０の対向面３４と接触した状態で対向する。
【００３９】
このように、嵌合凸部２５，３５が嵌合凹部２６，３６にそれぞれ勘合することで、第１バリヤ羽根２０と第２バリヤ羽根３０とは、光軸方向Ｌにおいて段差を生じることなく面一に位置決めされて開口部５０ａを閉じた状態となる。また、当接端面２３，３３同士が当接して確実に遮蔽し、しかも対向面２４，３４同士が当接端面２３，３３と垂直な光軸方向Ｌにおいて対向するため、外部からの光あるいは塵等の侵入が確実に防止される。
【００４０】
上記のように、この装置によれば、駆動リング４０の外力を受ける近傍の領域が、外力と拮抗する側から規制部としての第１規制片１１ａ及び第２規制片１５により規制されているため、駆動リング４０が光軸方向Ｌに位置ずれあるいは撓み等の変形を生じることはなく、駆動リング４０は円滑に回動し、バリヤ羽根２０，３０も変形等を生じることなく円滑に開閉動作を行なう。
【００４１】
また、駆動リング４０が、ベース１０に対してバリヤ羽根２０，３０と同一の側に配置されているため、駆動リング４０の回転駆動力がバリヤ羽根２０，３０に伝達される際の伝達距離が短かくなり、バリヤ羽根２０，３０に曲げ荷重等が加わるのを防止できる。
このように、駆動リング４０及びバリヤ羽根２０，３０の変形等を防止して円滑な動作が得られると共に、駆動リング４０及びバリヤ羽根２０、３０が共通のベース１０に支持されているため、部品点数を削減でき、装置を薄型化、小型化できる。
【００４２】
上記実施形態においては、バリヤ羽根として２枚のバリヤ羽根２０，３０を示したが、これに限定されるものではなく、１枚あるいは３枚以上のバリヤ羽根において本発明の構成を採用してもよい。
上記実施形態においては、駆動リング４０の係合部として径方向の外側に突出する係合片４３ａ，４３ｂを示しかつバリヤ羽根２０，３０の被係合部２２，３２として光軸方向Ｌに突出する円柱状のものを示したが、これに限定されるものではなく、駆動リング４０の係合部として光軸方向に突出するピンを採用し、バリヤ羽根２０，３０の被係合部として、ピンを通す長孔等を採用する構成において、本発明の構成を採用してもよい。
【００４３】
上記実施形態においては、駆動リング４０に対して光軸方向Ｌに作用する外力を及ぼすものとして、カメラ側の係合突起Ｐ等を示したが、これに限定されるものではなく、操作者が直接手で光軸方向の外力を及ぼすことにより駆動リングが光軸回りに回動するような構成において、本発明の構成を採用してもよい。
【産業上の利用可能性】
【００４４】
以上述べたように、本発明に係るレンズバリヤ装置は、レンズの前面に配置されてレンズを保護するものであれば、沈胴式のレンズ鏡筒を備えるカメラに限らず、その他のデジタルスチルカメラ、デジタルビデオカメラ、銀塩フィルム式カメラ等においても使用することができる。
【図面の簡単な説明】
【００４５】
【図１】本発明に係るレンズバリヤ装置の一実施形態を示す外観斜視図である。
【図２】図１に示すレンズバリヤ装置の分解斜視図である。
【図３】レンズバリヤ装置の一部をなすベースを示す斜視図である。
【図４】レンズバリヤ装置の一部をなす駆動リングを示す斜視図である。
【図５】バリヤ羽根が開口部を開いた状態を示す斜視図である。
【図６】バリヤ羽根が開口部を閉じた状態を示す斜視図である。
【図７】レンズバリヤ装置を構成するベース、駆動リング、バリヤ羽根、カバー等の関係を示すものであり、（ａ）はバリヤ羽根の被支持部の近傍を示す断面図、（ｂ）は駆動リングのカム部の近傍を示す断面図である。
【図８】バリヤ羽根が開口部を開いた状態を示す平面図である。
【図９】バリヤ羽根が開口部を開いた状態を示す平面図である。
【図１０】バリヤ羽根が開口部を閉じた状態を示す平面図である。
【図１１】バリヤ羽根が開口部を閉じた状態を示す平面図である。
【符号の説明】
【００４６】
１０  ベース
１０ａ  開口部
１０ｂ  摺動面
１１  円筒部
１１ａ  第１規制片（規制部）
１３  支軸
１４  貫通孔
１５  第２規制片（規制部）
２０  第１バリヤ羽根
２１  被支持部
２２  被係合部（バリヤ羽根の一部）
３０  第２バリヤ羽根
３１  被支持部
３２  被係合部（バリヤ羽根の一部）
４０  駆動リング
４１  環状部
４２  カム部（後方延出部）
４３ａ，４３ｂ  係合片（係合部）
４５  切り欠き部
４６  第１被規制部
４７  被規制片
５０  カバー
５０ａ  開口部
６０，７０  バネ
Ｌ  光軸方向
【図１】
2005106969.tif 000003
【図２】
2005106969.tif 000004
【図３】
2005106969.tif 000005
【図４】
2005106969.tif 000006
【図５】
2005106969.tif 000007
【図６】
2005106969.tif 000008
【図７】
2005106969.tif 000009
【図８】
2005106969.tif 000010
【図９】
2005106969.tif 000011
【図１０】
2005106969.tif 000012
【図１１】
2005106969.tif 000013